【手続補正書】
【提出日】平成26年2月20日(2014.2.20)
【手続補正１】
【補正対象書類名】明細書
【補正対象項目名】００２２
【補正方法】変更
【補正の内容】
【００２２】
前記候補設定部は、処理対象である当該スライスの内部に位置する他の周辺領域、若しくは、処理対象である当該フレームから参照される参照フレームの内部に位置する周辺領域を前記候補とすることができる。
【手続補正２】
【補正対象書類名】明細書
【補正対象項目名】００２３
【補正方法】削除
【補正の内容】
【手続補正３】
【補正対象書類名】明細書
【補正対象項目名】００２６
【補正方法】変更
【補正の内容】
【００２６】
前記候補設定部は、処理対象である当該スライスの内部に位置する他の周辺領域、若しくは、処理対象である当該フレームから参照される参照フレームの内部に位置する周辺領域を前記候補とすることができる。
【手続補正４】
【補正対象書類名】明細書
【補正対象項目名】００２７
【補正方法】削除
【補正の内容】
【手続補正５】
【補正対象書類名】明細書
【補正対象項目名】００３４
【補正方法】変更
【補正の内容】
【００３４】
前記候補設定部は、処理対象である当該スライスの内部に位置する他の周辺領域、若しくは、処理対象である当該フレームから参照される参照フレームの内部に位置する周辺領域を前記候補とすることができる。
【手続補正６】
【補正対象書類名】明細書
【補正対象項目名】００３５
【補正方法】削除
【補正の内容】
【手続補正７】
【補正対象書類名】明細書
【補正対象項目名】００３８
【補正方法】変更
【補正の内容】
【００３８】
前記候補設定部は、処理対象である当該スライスの内部に位置する他の周辺領域、若しくは、処理対象である当該フレームから参照される参照フレームの内部に位置する周辺領域を前記候補とすることができる。
【手続補正８】
【補正対象書類名】明細書
【補正対象項目名】００３９
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
処理対象である当該領域の動き情報の符号化に用いる、当該領域の周辺に位置する周辺領域の動き情報が利用可能であるか否かを判定する判定部と、
前記判定部により利用不可能であると判定された周辺領域の動き情報の代わりに、利用可能な他の周辺領域の動き情報を用いて当該領域の動き情報を符号化する符号化部と
を備える画像処理装置。
【請求項２】
前記判定部は、フレームを複数に分割するスライスであって、当該領域を含む当該スライスの境界のアドレスと、当該領域のアドレスとに基づいて、前記周辺領域の動き情報が利用可能であるか否かを判定する
請求項１に記載の画像処理装置。
【請求項３】
前記判定部は、前記周辺領域が、処理対象である当該フレームの、当該スライスの外に位置する場合、前記周辺領域の動き情報が利用不可能であると判定する
請求項２に記載の画像処理装置。
【請求項４】
前記符号化部は、
当該領域とマージする領域の候補とする周辺領域の動き情報が利用不可能である場合、前記周辺領域の代わりに、動き情報が利用可能な他の周辺領域を前記候補とする候補設定部と、
前記候補設定部により設定された候補の中から、当該領域にマージさせる周辺領域を決定し、マージ情報を生成するマージ情報生成部と
を備える請求項１乃至請求項３のいずれかに記載の画像処理装置。
【請求項５】
前記候補設定部は、前記判定部により利用不可能であると判定された周辺領域のCo-Located領域が利用可能である場合、前記Co-Located領域を前記候補とする
請求項４に記載の画像処理装置。
【請求項６】
前記候補設定部は、処理対象である当該スライスの内部に位置する他の周辺領域、若しくは、処理対象である当該フレームから参照される参照フレームの内部に位置する周辺領域を前記候補とする
請求項４に記載の画像処理装置。
【請求項７】
前記符号化部は、
当該領域の予測動きベクトル情報の候補とする周辺領域の動き情報が利用不可能である場合、前記動き情報の代わりに、他の周辺領域の利用可能な動き情報を前記候補に設定する候補設定部と、
前記候補設定部により設定された候補のいずれかを用いて、当該領域の予測動きベクトル情報を生成する予測動きベクトル生成部と
を備える請求項１乃至請求項６のいずれかに記載の画像処理装置。
【請求項８】
前記候補設定部は、前記判定部により利用不可能であると判定された周辺領域のCo-Located領域が利用可能である場合、前記Co-Located領域を前記候補とする
請求項７に記載の画像処理装置。
【請求項９】
前記候補設定部は、処理対象である当該スライスの内部に位置する他の周辺領域、若しくは、処理対象である当該フレームから参照される参照フレームの内部に位置する周辺領域を前記候補とする
請求項７に記載の画像処理装置。
【請求項１０】
画像処理装置の画像処理方法であって、
判定部が、処理対象である当該領域の動き情報の符号化に用いる、当該領域の周辺に位置する周辺領域の動き情報が利用可能であるか否かを判定し、
符号化部が、利用不可能であると判定された周辺領域の動き情報の代わりに、利用可能な他の周辺領域の動き情報を用いて当該領域の動き情報を符号化する
画像処理方法。
【請求項１１】
処理対象である当該領域の動き情報の復号に用いる、当該領域の周辺に位置する周辺領域の動き情報が利用可能であるか否かを判定する判定部と、
前記判定部により利用不可能であると判定された周辺領域の動き情報の代わりに、利用可能な他の周辺領域の動き情報を用いて、符号化された当該領域の動き情報を復号する復号部と
を備える画像処理装置。
【請求項１２】
前記判定部は、フレームを複数に分割するスライスであって、当該領域を含む当該スライスの境界のアドレスと、当該領域のアドレスとに基づいて、前記周辺領域の動き情報が利用可能であるか否かを判定する
請求項１１に記載の画像処理装置。
【請求項１３】
前記判定部は、前記周辺領域が、処理対象である当該フレームの、当該スライスの外に位置する場合、前記周辺領域の動き情報が利用不可能であると判定する
請求項１１または請求項１２に記載の画像処理装置。
【請求項１４】
前記復号部は、
当該領域とマージする領域の候補とする周辺領域の動き情報が利用不可能である場合、前記周辺領域の代わりに、動き情報が利用可能な他の周辺領域を前記候補とする候補設定部と、
前記候補設定部により設定された候補の中から、当該領域にマージさせる周辺領域を決定し、その決定に従ってマージ情報を復号するマージ情報復号部と
を備える請求項１１乃至請求項１３のいずれかに記載の画像処理装置。
【請求項１５】
前記候補設定部は、前記判定部により利用不可能であると判定された周辺領域のCo-Located領域が利用可能である場合、前記Co-Located領域を前記候補とする
請求項１４に記載の画像処理装置。
【請求項１６】
前記候補設定部は、処理対象である当該スライスの内部に位置する他の周辺領域、若しくは、処理対象である当該フレームから参照される参照フレームの内部に位置する周辺領域を前記候補とする
請求項１４に記載の画像処理装置。
【請求項１７】
前記復号部は、
当該領域の予測動きベクトル情報の候補とする周辺領域の動き情報が利用不可能である場合、前記動き情報の代わりに、他の周辺領域の利用可能な動き情報を前記候補とする候補設定部と、
前記候補設定部により設定された候補のいずれかを用いて、当該領域の予測動きベクトル情報を再構築する予測動きベクトル再構築部と
を備える請求項１１乃至請求項１６のいずれかに記載の画像処理装置。
【請求項１８】
前記候補設定部は、前記判定部により利用不可能であると判定された周辺領域のCo-Located領域が利用可能である場合、前記Co-Located領域を前記候補とする
請求項１７に記載の画像処理装置。
【請求項１９】
前記候補設定部は、処理対象である当該スライスの内部に位置する他の周辺領域、若しくは、処理対象である当該フレームから参照される参照フレームの内部に位置する周辺領域を前記候補とする
請求項１７に記載の画像処理装置。
【請求項２０】
画像処理装置の画像処理方法であって、
判定部が、処理対象である当該領域の動き情報の復号に用いる、当該領域の周辺に位置する周辺領域の動き情報が利用可能であるか否かを判定し、
復号部が、利用不可能であると判定された周辺領域の動き情報の代わりに、利用可能な他の周辺領域の動き情報を用いて当該領域の動き情報を復号する
画像処理方法。